(57)【要約】【課題】  耐久性があり精度を向上させることのできる水位センサを提供することを目的とする。【解決手段】  静電容量式水位センサの電極１２１ａと電極１２１ｂとの間隔の空いた箇所には抵抗式水位センサの検出電極１１５ｅが位置するようにする。間隔を介して並べられた電極１２１ａと電極１２１ｂにより測定される静電容量の比をとることによって水位を検出する。静電容量比を測定することで、変数としての温度や濃度がキャンセルされ、測定精度への影響を低減することができる。静電容量式水位センサで測定することのできない電極１２１ａと電極１２１ｂで隔てられた箇所の水位は、抵抗式水位センサの検出電極１１５ｃにより検出する。２種類の方式で相互に測定値を補完しあうことにより水位の測定精度を向上させることができる。【選択図】  図１４
2007205812.tif 000002
【特許請求の範囲】
【請求項１】
液体を収容する容器であって、
対向して設けられる第１および第２の側壁と、
前記第１および第２の側壁の対向方向と異なる方向に対向する第３および第４の側壁とを有する容器と、
前記第１および第２の側壁に設けられる一対の第１の電極と、
前記第３および第４の側壁に設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記基板の表面に前記第２の電極とそれぞれ所定の間隔を介して隣り合って形成される複数の第４の電極と、
前記第３の電極と隣り合う前記第４の電極との間の通電を検知する検知手段と、
を具備することを特徴とする水位センサ。
【請求項２】
前記基板に形成される前記複数の第３および第４の電極の少なくとも一部は、前記基板上において前記第１および第２の電極と対向する領域から離間して形成されていることを特徴とする請求項１記載の水位センサ。
【請求項３】
液体を収容する容器であって、
対向して設けられる第１および第２の側壁とを有する容器と、
前記第１および第２の側壁に設けられる一対の第１の電極と、
前記第１および第２の側壁に前記第１の電極と離間して設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記基板の表面に前記第３の電極それぞれと所定の間隔を介して隣り合って形成される複数の第４の電極と、
前記第３の電極と隣り合う前記第４の電極との間の通電を検知する検知手段と、
を具備することを特徴とする水位センサ。
【請求項４】
前記第１の電極と第２の電極との間に設けられた離間部に対応する位置に前記第３の電極と前記第４の電極が少なくともそれぞれ一つずつ位置するように前記基板が設置されることを特徴とする請求項３記載の水位センサ。
【請求項５】
液体を収容する容器であって、
対向して設けられる第１および第２の側壁と、
前記第１および第２の側壁の対向方向と異なる方向に対向する第３および第４の側壁とを有する容器と、
前記第１および第２の側壁に設けられる一対の第１の電極と、
前記第３および第４の側壁に設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記複数の第３の電極と所定の間隔を介して前記複数の第３の電極の並びに沿って延びる第４の電極と、
前記第３の電極と隣り合う前記第４の電極との間の通電を検知する検知手段と、
を具備することを特徴とする水位センサ。
【請求項６】
前記基板に形成される前記第３および第４の電極の少なくとも一部は、前記基板上において前記第１および第２の電極と対向する領域から離間して形成されていることを特徴とする請求項５記載の水位センサ。
【請求項７】
液体を収容する容器であって、
対向して設けられる第１および第２の側壁とを有する容器と、
前記第１および第２の側壁に設けられる一対の第１の電極と、
前記第１および第２の側壁に前記第１の電極と離間して設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記複数の第３の電極と所定の間隔を介して前記複数の第３の電極の並びに沿って延びる第４の電極と、
前記第３の電極と隣り合う前記第４の電極との間の通電を検知する検知手段と、
を具備することを特徴とする水位センサ。
【請求項８】
前記第１の電極と第２の電極との間に設けられた離間部に対応する位置に前記第３の電極と前記第４の電極の少なくとも一部が位置するように前記基板が設置されることを特徴とする請求項７記載の水位センサ。
【請求項９】
液体燃料が収容された燃料タンクと、
前記液体燃料と、空気中の酸素とを化学反応させて発電を行う起電部と、
前記燃料タンク内の前記液体燃料の水位を検出する水位センサと、を備え、
前記水位センサは、
前記燃料タンク内に対向して設けられる第１および第２の側壁と、
前記第１および第２の側壁の対向方向と異なる方向に対向する第３および第４の側壁と、
前記第１および第２の側壁に設けられる一対の第１の電極と、
前記第３および第４の側壁に設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記基板の表面に前記第３の電極とそれぞれ所定の間隔を介して隣り合って形成される複数の第４の電極と、
前記第３の電極と隣り合う前記第４の電極との間の通電を検知する検知手段と、
を具備することを特徴とする燃料電池。
【請求項１０】
前記基板に形成される前記複数の第３および第４の電極の少なくとも一部は、前記基板上において前記第１および第２の電極と対向する領域から離間して形成されていることを特徴とする請求項９記載の燃料電池。
【請求項１１】
液体燃料が収容された燃料タンクと、
前記液体燃料と、空気中の酸素とを化学反応させて発電を行う起電部と、
前記燃料タンク内の前記液体燃料の水位を検出する水位センサと、を備え、
前記水位センサは、
前記燃料タンク内に対向して設けられる第１および第２の側壁と、
前記第１および第２の側壁に設けられる一対の第１の電極と、
前記第１および第２の側壁に前記第１の電極と離間して設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記基板の表面に前記第３の電極それぞれと所定の間隔を介して隣り合って形成される複数の第４の電極と、
前記第３の電極と隣り合う前記第４の電極との間の通電を検知する検知手段と、
を具備することを特徴とする燃料電池。
【請求項１２】
前記第１の電極と第２の電極との間に設けられた離間部に対応する位置に前記第３の電極と前記第４の電極が少なくともそれぞれ一つずつ位置するように前記基板が設置されることを特徴とする請求項１１記載の燃料電池。
【請求項１３】
液体燃料が収容された燃料タンクと、
前記液体燃料と、空気中の酸素とを化学反応させて発電を行う起電部と、
前記燃料タンク内の前記液体燃料の水位を検出する水位センサと、を備え、
前記水位センサは、
前記燃料タンク内に対向して設けられる第１および第２の側壁と、
前記第１および第２の側壁の対向方向と異なる方向に対向する第３および第４の側壁と、
前記第１および第２の側壁に設けられる一対の第１の電極と、
前記第３および第４の側壁に設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記複数の第３の電極と所定の間隔を介して前記複数の第３の電極の並びに沿って延びる第４の電極と、
前記第３の電極と隣り合う前記第４の電極との間の通電を検知する検知手段と、
を具備することを特徴とする燃料電池。
【請求項１４】
前記基板に形成される前記第３および第４の電極の少なくとも一部は、前記基板上において前記第１および第２の電極と対向する領域から離間して形成されていることを特徴とする請求項１３記載の燃料電池。
【請求項１５】
液体燃料が収容された燃料タンクと、
前記液体燃料と、空気中の酸素とを化学反応させて発電を行う起電部と、
前記燃料タンク内の前記液体燃料の水位を検出する水位センサと、を備え、
前記水位センサは、
前記燃料タンク内に対向して設けられる第１および第２の側壁と
前記第１および第２の側壁に設けられる一対の第１の電極と、
前記第１および第２の側壁に前記第１の電極と離間して設けられる一対の第２の電極と、
前記第１の電極間と前記第２の電極間の静電容量値を測定する測定手段と、
前記液体に少なくとも一部が浸漬するように設置される基板と、
前記基板の表面に形成される複数の第３の電極と、
前記複数の第３の電極と所定の間隔を介して前記複数の第３の電極の並びに沿って延びる第４の電極と、
前記第３の電極と隣り合う前記第４の電極との間の通電を検知する検知手段と、
を具備することを特徴とする燃料電池。
【請求項１６】
前記第１の電極と第２の電極との間に設けられた離間部に対応する位置に前記第３の電極と前記第４の電極の少なくとも一部が位置するように前記基板が設置されることを特徴とする請求項１５記載の燃料電池。
【発明の詳細な説明】
【技術分野】
【０００１】
本発明は、容器内に収容された液体の水位を検知する水位センサに関する。
【背景技術】
【０００２】
従来、容器内の液体の水位を測定する水位センサとしては、電極間の抵抗値を測定するものや、静電容量を測定するものが知られている。電極間抵抗値を利用する水位センサには、導電性を有する液体を収容した容器内に、液体が接することにより通電可能となる電極部が設けられている。電極部は液体の減少に伴って液面が低下する方向の複数位置に配置されている。容器内の液面より上側にある電極部は液体に接しておらず、液面より下側にある電極部は液体に接した状態となる。電圧を印加し、各電極部の通電状態を検出することで、どの電極部の位置まで液面があるかを知ることができる。一方、静電容量を測定する水位センサは、液面の位置によって静電容量が変化する電極を容器内の水深方向に亘って対向させるように設ける。例えば、この電極間の静電容量の変化に伴う電流や発振周波数の変化を検出することで液面を検知する。静電容量値は電極面積に対して液体の占める割合が大きくなるにつれて、その変化量が小さくなる特性がある。そのため、容器内の水位の高い位置では水位の変化に対して静電容量の変化が小さく検出精度が落ちるという問題がある。
【０００３】
この問題を解決するものとして、例えば特許文献１に記載したものが挙げられる。水位の高い位置と低い位置で電極間距離が狭くなり、容器の鉛直方向中心に向かうに従って電極間距離が広くなるように電極を形成している。また水位の高い位置と低い位置で電極自体の幅を大きくすることで静電容量の変化に線形性をもたせることができ、静電容量の変化を検出しやすくなる。さらに、測定電極間の電気力線を制御するダミー電極を設けることで、測定電極間の電気力線を容器内に集中させ、水位の変化に対する静電容量の変化を大きくすることができる。
【特許文献１】特開２００３−５７０９７号公報
【発明の開示】
【発明が解決しようとする課題】
【０００４】
しかし、特許文献１に記載した方式の場合、容器内の水位によって電極間距離や電極自体の幅を変える必要があり、さらにダミー電極を設けるため電極の構造が特殊になる。また液体を収容する容器が傾いた場合に精度が落ちるという問題がある。
【０００５】
そこで本発明の目的は、耐久性があり精度を向上させることのできる水位センサを提供することにある。
【課題を解決するための手段】
【０００６】
上記目的を達成するために本発明に係る水位センサは、液体を収容する容器であって、対向して設けられる第１および第２の側壁と、前記第１および第２の側壁の対向方向と異なる方向に対向する第３および第４の側壁とを有する容器と、前記第１および第２の側壁に設けられる一対の第１の電極と、前記第３および第４の側壁に設けられる一対の第２の電極と、前記第１の電極間と前記第２の電極間の静電容量値を測定する測定手段と、前記液体に少なくとも一部が浸漬するように設置される基板と、前記基板の表面に形成される複数の第３の電極と、前記基板の表面に前記第２の電極とそれぞれ所定の間隔を介して隣り合って形成される複数の第４の電極と、前記第３の電極と隣り合う前記第４の電極との間の通電を検知する検知手段と、を具備することを特徴とする。
【発明の効果】
【０００７】
本発明によれば、耐久性があり精度を向上させることのできる水位センサを提供することができる。
【発明を実施するための最良の形態】
【０００８】
以下本発明に係る実施の形態を、図面を参照して説明する。
【０００９】
図１は本発明に係る水位センサを採用した燃料電池１の外観斜視図である。図２は本発明に係る水位センサを採用した燃料電池とノート型コンピュータをドッキングさせた状態を示す外観斜視図である。燃料電池１は例えばノート型コンピュータ１０の外部電源として用いられる。この燃料電池１はダイレクトメタノール方式の燃料電池（ＤＭＦＣ：Ｄｉｒｅｃｔ  Ｍｅｔｈａｎｏｌ  Ｆｕｅｌ  Ｃｅｌｌ）である。メタノールと水を混合した予混合液を燃料とし、この予混合液を空気中の酸素と電解質膜で化学反応させることによって発電させる。このＤＭＦＣは、水素を燃料に用いる燃料電池よりも取り扱いが容易で、装置全体を小型にまとめることができる。
【００１０】
燃料電池１は、直方体に形成された本体１１と、本体１１の底に沿って平坦に延出した載置部１２とを有している。本体１１の壁部には多数の通気孔１１ａが形成されている。本体１１の内部には後述する発電部が納められている。本体１１の一部は、カバー１１ｂとして取り外せるように形成されている。本体１１のカバー１１ｂを取り外した部分には後述する燃料タンクが入れられている
【００１１】
載置部１２は、ノート型コンピュータ１０の後部とドッキングできるように形成されている。載置部１２の内部には、後述する制御部が設けられている。制御部は発電部の動作を制御する。載置部１２の上面には、ノート型コンピュータ１０を連結するロック機構１３と、燃料電池１から電力をノート型コンピュータ１０に供給するためのコネクタ１４とが設けられている。
【００１２】
ロック機構１３は、載置部１２上の３箇所に配置されており、それぞれ位置決め突起１３１とフック１３２とを備える。ノート型コンピュータ１０の後部底面には、ロック機構１３に連結される係合孔、およびコネクタ１４に接続されるソケットが設けられている。ノート型コンピュータ１０が載置部１２に押し当てられると、ロック機構１３がノート型コンピュータ１０の係合孔に挿入される。フック１３２によって載置部１２にノート型コンピュータ１０が保持される。その結果、ノート型コンピュータ１０のソケットがコネクタ１４と電気的に接続される。この状態で、本体１１に設けられたスイッチがオンにされると、燃料電池１は、発電を開始する。
【００１３】
載置部１２は、さらにイジェクトボタン１５を備える。このイジェクトボタン１５を押すと、ロック機構１３のフック１３２が解除され、ノート型コンピュータ１０を燃料電池１から取り外すことができるようになる。
【００１４】
図３は燃料電池本体内部に収納された発電部の外観斜視図である。発電部２は、燃料タンク３１、混合タンク４１、起電部５０、排液冷却器７１、第１の冷却ファン７２、復水器８１、第２の冷却ファン８２、濃度センサ９０、および送気ポンプ６１、水回収ポンプ８５等を備える。これらはベースマニホールド１００の上に載置され、一体に支持される。混合液や水等の流体を流す複数の流路は、ベースマニホールド１００の中に形成されている。ベースマニホールド１００は、外径が矩形状のベース基板およびベース基板とほぼ同一外形に形成された板状のカバー部材を有している。ベース基板には、流路となる溝が形成され、カバー部材は、これらの溝を覆うようにベース基板に張り合わされている。
【００１５】
排液冷却器７１は、第１の冷却ファン７２および第２の冷却ファン８２を挟んで、復水器８１と並べて配置される。予混合液冷却器７３は、配管を蛇腹状に折り返した形状を有する。復水器８１は、水平方向に対して傾斜して伸びる複数の凝縮管と、この凝縮管の回りに取り付けられる冷却フィンとを備える。第２の冷却ファン８２は、復水器８１の凝縮管に取り付けられた冷却フィンに沿って、本体１１の通気孔１１ａを通して取り入れた外気を送る。  
【００１６】
図４は本発明に係る水位センサを採用した燃料電池の系統図である。発電部２は、燃料供給部３０と予混合液循環部４０と起電部５０と空気供給部６０と燃料冷却部７０と水回収部８０と濃度センサ９０とを備える。
【００１７】
燃料供給部３０は、燃料タンク３１と燃料供給路３２と燃料バルブ３３と燃料ポンプ３４とで構成されている。予混合液循環部４０は、混合タンク４１と循環ポンプ４２と混合液供給路４３と混合液回収路４４とフィルタ４５とイオンフィルタ４６と循環逆止弁４７とで構成されている。起電部５０は、複数のセルが積層されて構成されている。各セルは、アノード（燃料極）５１とカソード（空気極）５２とこれらの間に挟まれる電解質膜５３とで構成されている。空気供給部６０は、送気ポンプ６１と吸気バルブ６２と吸気フィルタ６３とで構成されている。燃料冷却部７０は、排液冷却器７１と第１の冷却ファン７２と予混合液冷却器７３とで構成される。水回収部８０は、復水器８１と第２の冷却ファン８２と回収槽８３と水供給路８４と水回収ポンプ８５とで構成される。濃度センサ９０は、音速センサが適用されている。物質中の音速を計測することでその物質の密度が分かる。これを基に燃料であるメタノールと水との分子量から予混合液の濃度が求まる。
【００１８】
燃料タンク３１には、液体燃料として高濃度のメタノールが入れられている。燃料タンク３１は、取替えが簡単な燃料カートリッジとして構成されている。したがって、燃料タンク３１を取り替える際は、本体１１に設けられたカバー１１ｂを取り外し、燃料タンク３１を本体１１から取り出す。燃料タンク３１は、燃料供給路３２によって混合タンク４１に連通されている。燃料供給路３２の途中には、燃料バルブ３３と燃料ポンプ３４が設けられている。燃料バルブ３３は、電磁弁であり、燃料ポンプ３４とともに制御部３によって、動作制御される。
【００１９】
制御部３は、燃料バルブ３３、燃料ポンプ３４、循環ポンプ４２、送気ポンプ６１、吸気バルブ６２、第１の冷却ファン７２、第２の冷却ファン８２、水位センサ８３ａ、水回収ポンプ８５、排気バルブ８８、濃度センサ９０、水位センサ１００と信号線で接続され、これらを制御する。制御部３は、燃料ポンプ３４、循環ポンプ４２、送気ポンプ６１、水回収ポンプ８５の各々の流量、および吸気バルブ６２、排気バルブ８８の各々の開度によって、燃料電池１内の各流体の流れを制御する補機を構成している。
【００２０】
混合タンク４１は槽４１ａと蓋４１ｂとで構成されている。混合タンク４１の槽４１ａには燃料供給路３２と連通される燃料流入口３２ａと、混合液供給路４３と連通される混合液流出口４３ａと、混合液回収路４４と連通される混合液流入口４４ａとが設けられている。
混合液供給路４３および混合液回収路４４は、混合タンク４１と起電部５０との間に設けられ、予混合液を循環させるループを形成している。混合液供給路４３は、混合タンク４１から起電部５０へ予混合液を送通する。混合液回収路４４は、起電部５０から混合タンク４１へ予混合液を送通する。
【００２１】
混合液供給路４３には、循環ポンプ４２とフィルタ４５とイオンフィルタ４６と循環逆止弁４７とが設けられている。フィルタ４５は、混合タンク４１と循環ポンプ４２との間に配置されている。イオンフィルタ４６は、循環ポンプ４２と循環逆止弁４７との間に配置されている。循環ポンプ４２は、予混合液を混合タンク４１から起電部５０へ送液する。
【００２２】
混合液回収路４４には、排液冷却器７１が設けられている。排液冷却器７１は、複数回折り返された伝熱管と、この伝熱管の周りに直角に取り付けられた多数の放熱フィンとを有している。また、第１の冷却ファン７２が、排液冷却器７１に取り付けられる。第１の冷却ファン７２は、本体１１の通気孔１１ａから外気を冷却空気として吸い込み、放熱フィンに沿う方向に空気を送る。
【００２３】
起電部５０には、アノード５１とカソード５２とが電解質膜５３を挟むように配置されている。アノード５１には混合液供給路４３及び混合液回収路４４が接続され、予混合液が流される。カソード５２には空気供給部６０と通じる吸気路６４及び復水器８１と通じる排気路８６が接続され、空気が流される。
【００２４】
図５は起電部のセル構造を模式的に示した図である。起電部５０では、アノード５１に流される予混合液中のメタノールおよび水が電解質膜５３を介して、カソード５２に流される空気中の酸素と反応し、発電される。このとき、アノード５１側では、反応生成物として二酸化炭素が生成される。生成された二酸化炭素は余った予混合液とともに混合液回収路４４に排出される。また、カソード５２側では、水が水蒸気の状態で生成される。生成された水は湿り空気となって排気路８６に排出される。
【００２５】
空気供給部６０は、送気ポンプ６１で吸気フィルタ６３から酸素を含む空気を吸い込み、吸気路６４を通してカソード５２に送通する。送気ポンプ６１とカソード５２との間には、吸気バルブ６２が設けられている。排気路８６は、復水器８１、排気フィルタ８７および排気バルブ８８を通って、排気口８９へと通じている。排気口８９は本体１１の通気孔１１ａに向かって開口している。
【００２６】
排気路８６を通って送られてきた湿り空気中の水分は、復水器８１で凝縮され、復水器８１の下部に配置される回収槽８３に溜まる。回収槽８３は、水供給路８４によって混合液回収路４４の途中に連通している。水位センサ８３ａが回収槽８３に設けられ、溜まった水の水位を検出する。水供給路８４の途中には、水回収ポンプ８５と逆止弁８５ａとが設けられている。水回収ポンプ８５は、回収槽８３の水を混合タンク４１に送る。
【００２７】
また、復水器８１で水分がある程度回収された空気は、復水器８１の上部から排気され、排気フィルタ８７へと送通される。排気フィルタ８７は、金属触媒などにより構成される。排気フィルタ８７は排気路８６を通して排気される空気中に含まれるメタノールなどの有害物質を除去する。排気フィルタ８７の直下には、貯溜部８７ａが設けられている。この貯溜部８７ａは回収路８７ｃを介して、水回収ポンプ８５と逆止弁８５ａとの間で水供給路８４に連通される。回収路８７ｃは貯溜部８７ａへの逆流を防止する逆止弁８７ｂを備える。
【００２８】
濃度センサ９０は、予混合液中のメタノール濃度を計測するために、バイパス路９１の途中に設けられている。バイパス路９１は、循環ポンプ４２とイオンフィルタ４６との間の混合液供給路４３から分岐され、混合タンク４１に予混合液を還流する。濃度センサ９０の検出分解能が熱によって低下することを防止するために、バイパス路９１には、濃度センサ９０の上流に予混合液冷却器７３が設けられる。
【００２９】
予混合液冷却器７３は、第１の冷却ファン７２によって形成される冷却空気流に対し排液冷却器７１の上流側に配置される。予混合液冷却器７３は、配管を蛇腹状に折り返した形状を有する。濃度センサ９０に送られる予混合液は、予混合液冷却器７３を通過することで冷却される。この場合、予混合液冷却器７３の冷却能力は、濃度センサ９０に送られる予混合液の温度を４０℃以下にする程度であることが望ましい。
【００３０】
燃料電池１の動作中、第１の冷却ファン７２および第２の冷却ファン８２が駆動され、本体１１に形成された通気孔１１ａを通して外気が本体１１内に導入される。通気孔１１ａを通して本体１１内に導入された外気および本体１１内の空気は、予混合液冷却器７３および排液冷却器７１を通り、第１の冷却ファン７２に吸気される。第２の冷却ファン８２により本体１１内に導入された外気および本体１１内の空気は、復水器８１を通って第２の冷却ファン８２に吸気される。また、第１の冷却ファン７２および第２の冷却ファン８２から排気された空気は、起電部５０およびその周囲を通過した後、本体１１の外部に排気される。
【００３１】
発電を行う時は、制御部３によってポンプやバルブの動作が制御される。制御部３は燃料ポンプ３４を駆動させ、燃料タンク３１から混合タンク４１に高濃度のメタノールを供給する。燃料流入口３２ａから噴出したメタノールは、混合タンク４１内で、既存の予混合液、アノードから還流された予混合液、混合液回収路４４の途中で復水器８１の回収槽８３から戻された水と、攪拌希釈される。この攪拌は、燃料流入口３２ａから噴出するメタノールの流れ、および混合液流入口４４ａから噴出する予混合液の流れによって行われる。
【００３２】
メタノールが足された予混合液は、循環ポンプ４２によってアノード５１に供給される。カソード５２には、送気ポンプ６１によって空気が供給されている。供給されたメタノールおよび空気は、アノード５１とカソード５２との間に設けられた電解質膜５３で化学反応する。その結果、アノード５１とカソード５２との間に電力が発生する。起電部５０で発生した電力は、制御部３からコネクタ１４を介してノート型コンピュータＰへ供給される。
【００３３】
発電反応に伴い、起電部５０のアノード５１側には二酸化炭素が生成され、カソード５２側には水（水蒸気）が生成される。アノード５１側に生じた二酸化炭素および化学反応に供されなかった予混合液は、混合液回収路４４へ送られ、排液冷却器７１を通して冷却された後、混合タンク４１に還流する。
【００３４】
混合タンク４１に還流した二酸化炭素は、混合タンク４１内で気化する。気化した二酸化炭素は気液分離膜４１ｋを通過して、混合タンク４１から生成ガス回収路８６ａを通って排気路８６の途中に合流される。二酸化炭素は、湿り空気とともに排気フィルタ８７に通される。二酸化炭素と湿り空気は排気バルブ８８を介して、最終的には排気口８９から外部へ排気される。気液分離膜４１ｋを通して空気中に飛沫したメタノール及び空気は、排気フィルタ８７を通過することで排気フィルタ８７に回収除去される。
【００３５】
カソード５２側に生じた水は、その大部分が水蒸気となって空気とともに排気路８６に排出される。水分を含む湿り空気は、復水器８１によって水分が凝縮分離される。空気は、排気バルブ８８を通り、排気口８９から本体１１内に排気される。本体１１内の空気は更に通気孔１１ａを通して外部に排気される。復水器８１によって凝縮された水は、回収槽８３に溜まり、水回収ポンプ８５で混合液回収路４４の途中に注入される。水は混合タンク４１へ送られ、メタノールと混合された後、混合液供給路４３から再び起電部５０へ供給される。また、復水器８１によって回収しきれず復水器８１よりも下流側の排気路８６で結露した水は、排気フィルタ８７の直下に設けられる貯溜部８７ａに溜められる。貯留部８７ａに溜められた水は水供給路８４を介して混合液回収路４４の途中に合流される。
【００３６】
混合タンク４１内におけるメタノールの濃度は、濃度センサ９０によって検出される。制御部３は、検出された濃度に応じて水回収ポンプ８５を作動させ、回収槽８３から混合タンク４１へ供給する水の量を調整する。これにより、予混合液のメタノールの濃度を一定に維持する。また、排気路８６を通じて回収される水の回収量、つまり、水蒸気の凝縮量は、復水器８１の冷却能力を制御することにより調整される。復水器８１の冷却能力は回収槽８３の水位に応じて、調整する。本実施形態では、水位センサ８３ａにより検出された水位に応じて第２の冷却ファン８２の駆動電圧を制御する。冷却ファン８２の制御により復水器８１の冷却能力を調整し、水の回収量を制御する。水回収ポンプ８５が制御部３により正転駆動される間、逆止弁８５ａが開き、逆止弁８７ｂが閉じられる。回収槽８３内の水は、水供給路８４および逆止弁８５ａから混合液回収路４４を通って混合タンク４１へ送られる。
【００３７】
また、制御部３は、一定の動作期間ごとに水回収ポンプ８５を所定時間、逆転駆動させる。貯溜部８７ａ内に溜まった水を回収槽８３に回収する。水回収ポンプ８５が逆転駆動されると、逆止弁８７ｂが開き、逆止弁８５ａが閉じられる。この結果、貯溜部８７ａに溜まった水および復水器８１より下流の排気路８６内で結露した水は、回収路８７ｃ、逆止弁８７ｂ、および水供給路８４を通って回収槽８３に回収される。その後、回収された水は、混合タンク４１へ供給され、メタノールの希釈に用いられる。
【００３８】
図６は混合タンクの分解斜視図である。混合タンク４１は、槽４１ａと蓋４１ｂとで構成されている。槽４１ａと蓋４１ｂとの合わせ面を機密にするために、パッキング４１ｃが槽４１ａのシート面に装着されている。蓋４１ｂは、内部と外部とを通じさせる連通孔４１ｅを有している。この連通孔４１ｅは混合タンク４１の内側に向かって突出する内部孔口４１ｆにチューブ４８の基端４８ａが取り付けられている。連通孔４１ｅの外部孔口４１ｇは、混合タンク４１の外側に向かって突出し、キャップ４９で塞がれている。キャップ４９は、ビス４９ａで蓋４１ｂに取外せるように固定されている。キャップ４９の内側には、シール部材となるＯリングが取り付けられている。蓋４１ｂは、Ｏリングで密閉される範囲の内側となる外部孔口４１ｇの脇に、内部に繋がる通気孔４１ｈをさらに有している。槽４１ａと蓋４１ｂとはネジ４１ｊと槽４１ａに設けられたネジ穴４１ｋとにより接続される。槽４１ａの内壁４１ｍには後述する電極が形成される。また、蓋４１ｂには後述する抵抗式水位センサ１１０用の基板１１１が取り付けられている。
【００３９】
燃料電池１のメンテナンスなどのために、メタノールを含む予混合液が循環する系統を開放する場合、開放した箇所から予混合液が流出しないように、混合タンク４１から予め抜き取る。予混合液を抜き取るには、まず混合タンク４１の蓋４１ｂに取り付けられたキャップ４９を取外す。露出された連通孔４１ｅの外部孔口４１ｇにシリンジやスポイトなどの吸引器を装着しチューブ４８の先端４８ｂから混合タンク４１内の予混合液を抜き取る。
【００４０】
図７は本発明の実施形態に係る水位センサの外観斜視図である。混合タンク４１には予混合液の水位を測るための水位センサが設けられている。予混合液は人体に有害であるため、漏出しないように予混合液の水位を管理する必要がある。本発明に係る水位センサは、槽４１ａの側壁４１ｍに形成された静電容量式水位センサと後述する抵抗式水位センサ１１０とから構成される。
【００４１】
ここでは槽４１ａの中で液体が収容される部分だけを簡略化して記載している。槽４１ａの側壁４１ｍには電極１００が形成されている。槽４１ａ内の電極１００ａが設けられた面と対向する面に設けられた電極を電極１００ｃとし、電極１００ａの設けられた面と直交する面に設けられた電極を電極１００ｂとする。電極１００ｂと対向する面に設けられた電極１００ｄの記載を一部省略しているが、電極１００ｄは電極１００ｂと同じ面積になるように形成される。電極１００ａと対向する電極１００ｃを第１の電極と呼び、電極１００ｂと対向する電極１００ｄを第２の電極と呼ぶ。以下の説明では特に必要な場合を除き、単に電極１００ａ、１００ｂ、１００ｃ、１００ｄとして説明する。
【００４２】
電極１００は槽４１ａの側壁４１ｍに直接金属めっきを施すことで形成する。金めっき等を施すことで槽４１ａの側壁４１ｍの一部を電極として利用することができる。フレキシブルプリント基板等を用いて電極１００を直接槽４１ａの外に延出することで、コネクタ接続用の端子部１０１を電極１００と一体に設けることもできる。ここでは記載を省略しているが、電極１００ａ、電極１００ｂ、電極１００ｃ、電極１００ｄにそれぞれ対応して端子部１０１を設けても良い。
【００４３】
誘電率が物質によって固有であることから、対向する２枚の電極１００間に存在する物質に応じて測定される静電容量の値が変化する。２枚の電極１００間に異なる複数の物質が存在している場合、電極１００に接している面積によっても静電容量の値は変化する。槽４１ａ内の液体の水位が変化すると、電極１００に触れる液体と気体の割合が変化するため、水位の変化を静電容量の変化として検出することができる。実際に槽４１ａの水位を検出する時は、例えば物質と水位に対応した静電容量の値をあらかじめ調べておき、図示しないメモリにテーブルや計算式として記憶させておく。静電容量の値を測定した時はメモリに記憶されたテーブルを参照し水位を算出する。
【００４４】
金属めっきにより側壁４１ｍに直接形成された電極１００の表面には撥水膜１０２を施している。撥水膜１０２は例えば、フッ素系高分子材料からなる。混合タンク４１内の混合液中に金属イオンが溶出すると発電性能が低下するため、少なくとも電極１００が液体に触れないように電極１００の上から撥水膜１０２を施す必要がある。電極１００の面積は測定するべき水位の範囲に応じて調節すれば良く、底面４１ｎまで水位を検出できるようにしても良い。
【００４５】
槽４１ａの側壁４１ｍに直接金属めっきを施し電極１００を形成することで混合タンク４１そのものを静電容量式水位センサとして利用することができる。
【００４６】
静電容量方式では容器開口部付近の水位を測定する時は精度が落ちるという問題点がある。本発明では静電容量式水位センサでは精度が落ちる箇所や測れない箇所を抵抗式水位センサ１１０で測ることのできる構造にしている。
【００４７】
図８は本発明に係る水位センサを採用した混合タンクの槽と蓋の部分を示す断面図である。混合タンク４１は槽４１ａと蓋４１ｂとで構成されている。槽４１ａと蓋４１ｂとの合わせ面を機密にするために、パッキング４１ｃが槽４１ａのシート面に装着されている。パッキング４１ｃは蓋４１ｂに設けても良い。電極１００の表面には撥水膜１０２が施されている。電極１００の一部はフレキシブルプリント基板等を用いて端子部１０１として槽４１ａの外に延出されている。槽４１ａと蓋４１ｂとは一部に端子部１０１を挟んで接合されるが、槽４１ａあるいは蓋４１ｂにパッキング４１ｃを設けることで槽４１ａと蓋４１ｂとの接合を密にすることができる。蓋４１ｂには抵抗式水位センサ１１０用の基板１１１が取り付けられている。抵抗式水位センサ１１０は槽４１ａの揺れや傾きの影響を少なくするため、槽４１ａの側壁４１ｍおよび底面４１ｎに対して中心に位置するように設置されている。
【００４８】
図９は本発明の実施形態に係る抵抗式水位センサの外観斜視図である。以後の説明において、同じ構成のものについては一つを代表して説明する。水位センサ１１０の基板１１１はセラミックス等から成り、基板１１１の先端にはボンディングワイヤ１１２を介してコネクタ１１３が取り付けられている。基板１１１の表面１１１ａには配線パターン１１４と複数の検出電極１１５と複数の参照電極１１６とが形成されている。検出電極１１５を第３の電極と呼び、参照電極１１６を第４の電極と呼ぶが、以下の説明では特に必要な場合を除き、単に検出電極１１５および参照電極１１６として説明する。水位センサ１１０はコネクタの端子部１１３ａを介して制御部３と電気的に接続される。
【００４９】
図１０は図９中のＡ−Ａ´線に沿って示す検出電極の断面模式図である。検出電極１１５の電極部１１７は例えば銅から成る。各電極部１１７には表面１１７ａに金メッキ１１８が施されている。電極部１１７の表面１１７ａに金メッキ１１８を施すことで、電極部１１７の銅が溶出し混合タンク４１内の予混合液中に流出することを防止できる。金メッキ１１８により電極部１１７の特性が経時劣化を起こすのを防ぐこともできる。基板１１１の表面１１１ａのうち電極部１１７以外の箇所には撥水膜１１９が施されている。撥水膜１１９は例えば、フッ素系高分子材料からなる。図６に示すように、混合タンク４１に取付けられた水位センサ１１０の基板１１１で、槽４１ａよりも外に突出している部分には撥水膜を塗布していなくても良い。電極部１１７は金メッキ１１８と撥水膜１１９とにより覆われることになる。そのため、電極部１１７の銅は溶液に触れることなく、銅が溶液中に溶出するのを防ぐことができる。参照電極１１６の断面も同様に電極部１１７、金メッキ１１８、撥水膜１１９からなる構造となっている。
【００５０】
図９に示すように検出電極１１５及び参照電極１１６はそれぞれ独立した配線パターン１１４に接続されている。検出電極１１５と隣接する参照電極１１６との間には一定の間隔Ｌが設けられている。検出電極１１５は基板１１１上において、混合タンク４１内の水位の低下方向の位置に複数形成されている。本実施形態では混合タンク４１内の水位に対して、検出電極１１５ａが一番高い位置にあり、検出電極１１５ａは混合タンク４１内の予混合液が満タンの時に液面に接する。検出電極１１５ｈが一番低い位置にあり、混合タンク４１の底面近傍に位置するよう設置されている。検出電極１１５の数や、検出電極１１５同士の間隔は検出する水位に応じて任意に決めてよい。参照電極１１６は検出電極１１５の電位の基準となる。参照電極１１６は検出電極１１５にそれぞれ隣り合って対応するように形成されている。参照電極１１６は一つの配線パターン１１４に並列接続され、図示しない電源に接続されている。検出電極１１５は図示しないグラウンドに接続されている。
【００５１】
図１１は図９に示した抵抗式水位センサと電極配置の異なる他の水位センサの外観斜視図である。図１１に示すように参照電極１１６は基板１１１の表面１１１ａに亘って延びるように形成された一つの電極としても良い。複数の検出電極１１５が所定の間隔Ｌを介して参照電極１１６の両側に形成されている。
【００５２】
混合タンク４１内の液面より上側にある検出電極１１５及び参照電極１１６は液体に接していない。混合タンク内４１の液面より下側にある検出電極１１５及び参照電極１１６は液体に接した状態となる。混合タンク４１内の水位を測定する際は、制御部３の指示により行う。制御部３からの指示により検出電極１１５と参照電極１１６との間に電圧が印加されると、液体は導電性を有することから、液体に接していない検出電極１１５と参照電極１１６とは通電されず、液体に接している検出電極１１５と参照電極１１６とは通電されることとなる。したがって、検出電極１１５と参照電極１１６との通電状態を検出することで、どの検出電極１１５の位置まで水位があるかを知ることができる。
【００５３】
電極部１１７や基板１１１に液体が残留し、検出電極１１５と参照電極１１６とが通電すると水位の誤検出を招くことがある。そのため本実施形態に係る水位センサでは、金メッキ１１８を施された電極部１１７以外の基板１１１の表面１１１ａに撥水膜１１９が施されている。基板１１１の表面１１１ａに撥水膜１１９を施すことで、水位が低下した後も基板１１１の表面１１１ａに液体が残留しない。水位が低下したにもかかわらず、残留した液体により水位が誤検出されてしまうことを防止することができる。一方、検出電極１１５と参照電極１１６とには撥水膜は施されていないが、基板１１１の表面１１１ａの検出電極１１５と参照電極１１６との間が撥水膜１１９を介して隔てられている。そのため、電極に残留した液体により検出電極１１５と参照電極１１６とが繋がり通電されるのを防止することができる。
【００５４】
このような電極間の抵抗を測定する方式では明確に液体の有無を検出することができる。
【００５５】
図１２は本発明に係る混合タンクが傾いた状態を示す模式図である。この図においては、分かりやすくするため端子部１０１や撥水膜１０２や抵抗式水位センサ１１０の記載を省略している。槽４１ａ内の電極１００ａが設けられた面と対向する面に設けられた電極を電極１００ｃとし、電極１００ａの設けられた面と直交する面に設けられた電極を電極１００ｂとする。また液面の様子を分かりやすくするため、電極１００ｂと対向する面に設けられた電極１００ｄの記載を一部省略しているが、電極１００ｄは電極１００ｂと同じ面積になるように形成される。
【００５６】
図１２に示すように混合タンク４１がＸ軸方向に傾いている時、電極１００ａは全く液体に接していないが、電極１００ａと対向する電極１００ｃは液体に接している。一方、電極１００ｂと電極１００ｄに液体が接する面積は同じである。そのため、電極１００ａと電極１００ｃとの間で検出される静電容量の値と、電極１００ｂと電極１００ｄとの間で検出される静電容量の値とは大きく異なる。
【００５７】
電極１００ａと電極１００ｃとの間では、液体の接する面積が大きく異なることから正確な水位を検出することはできない。混合タンク４１が傾いていない場合と比較して、電極１００ａが空気に触れる面積が増える分、電極１００ａと電極１００ｃとの間で検出される静電容量の値は低い値になる。電極１００ａと電極１００ｃとの間で異常な静電容量値が検出されることで、Ｘ軸方向に混合タンク４１が傾いていることが分かる。電極１００ｂと電極１００ｄに液体が接する面積は同じであるため、電極１００ｂと電極１００ｄの間の静電容量の値を測定することで、傾いた状態での水位を検出することができる。
【００５８】
混合タンク４１の側壁４１ｍの対向する面に設けた２組の電極１００により、２軸で水位検出が可能である。混合タンク４１が傾いた状態となり、ある側壁４１ｍに設けられた電極１００に液体が接していない状態においては、他の液体に接している電極１００を用いて水位を検出することができ、同時にどの方向に傾いているかを検出することも可能となる。
【００５９】
混合タンク４１に収容されている液体の体積と混合タンク４１の各方向に対する傾きと、その時の静電容量値との関係をあらかじめ調べておけば、静電容量値を測定することで液体の水位に加えて、より精密な傾きも検出することが可能となる。１軸方向のみに傾いている場合だけでなく、Ｘ軸方向、Ｙ軸方向ともに角度を有している場合も、あらかじめ測定した静電容量値にフィードバックすることで混合タンク４１の傾いている方向と傾いている角度を知ることができる。
【００６０】
抵抗方式水位センサ１１０は検出電極１１５と参照電極１１６との間の抵抗を測定することで明確に液体の有無を検出することができる。しかし混合タンク４１に傾きが生じた場合は、本来液滴が付着していない検出電極１１５に液滴が付着し通電されることで水位を誤検出することがある。混合タンク４１が傾いている時は静電容量式センサを用いることで、傾きの角度と傾いた状態での水位を測定することができる。あらかじめ、静電容量の値と混合タンクの角度と収容された液体の体積との関係を調べておけば、混合タンク４１が水平の状態の水位を算出することもできる。
【００６１】
図１３は本発明の第２の実施形態に係る混合タンクの槽部分を示す外観斜視図である。液体中の静電容量の値は液体の温度や濃度によって変化する。そのため、より正確な水位を測定するには温度センサや濃度センサを設け、温度や濃度の影響を補正して静電容量の値を算出する必要がある。しかし温度センサや濃度センサを新たに設けると構造が複雑になり混合タンクの設計を変える手間が生じる。本実施形態では静電容量式水位センサの電極１００を一つの側壁４１ｍ上において水位の変化する方向に間隔を介して２枚並べて設けている。
【００６２】
槽４１ａ内の電極１２１ａおよび電極１２１ｂが設けられた面と対向する面に、電極１２１ａおよび電極１２１ｂと対応して設けられた電極を電極１２３ａおよび電極１２３ｂとする。電極１２１ａおよび電極１２１ｂの設けられた面と直交する面に、電極１２１ａおよび電極１２１ｂと対応して設けられた電極を電極１２２ａおよび電極１２２ｂとする。電極１２２ａおよび電極１２２ｂの設けられた面と対向する面に、電極１２２ａおよび電極１２２ｂと対応して設けられた電極を電極１２４ａおよび電極１２４ｂとする。電極１２１ａ、電極１２２ａ、電極１２３ａ、電極１２４ａを改めて第１の電極と呼び、電極１２１ｂ、電極１２２ｂ、電極１２３ｂ、電極１２４ｂを改めて第２の電極と呼ぶが、以下の説明では特に必要な場合を除き、単に電極１２１ａ、電極１２１ｂ等として説明する。
【００６３】
液面の様子を分かりやすくするため、電極１２４ａは図中には記載せず、電極１２４ｂは記載を一部省略している。以下の説明で電極１２１、電極１２２、電極１２３、電極１２４をそれぞれ区別する必要のない場合は電極１２１を代表して説明する。
【００６４】
間隔を介して並べられた電極１２１ａと電極１２１ｂにより測定される静電容量の比をとることによって水位を検出する。静電容量比を測定することで、変数としての温度や濃度がキャンセルされ、測定精度への影響を低減することができる。
【００６５】
一方、静電容量方式では容器開口部付近の水位を測定する時は精度が落ちるという問題点がある。また本実施形態では静電容量式水位センサの電極１２１ａと電極１２１ｂとの間隔の空いた箇所では水位を測定することができない。そこで、本発明では静電容量式水位センサでは精度が落ちる箇所や測れない箇所を抵抗式水位センサで測ることのできる構造にしている。
【００６６】
図１４は水位の変化と測定される静電容量値との関係を模式的である。
水位を測定する点の中で一番水位が高い箇所に抵抗式水位センサ１１０の検出電極１１５ａが位置するようにする。測定するべき水位の中で一番低い箇所に検出電極１１５ｅが位置するようにする。静電容量式水位センサの電極１２１ａと電極１２１ｂとの間隔の空いた箇所には検出電極１１５ｃが位置するようにする。
【００６７】
水位の変化する方向に対して水位の高い側に位置する電極１２１ａの静電容量値をＣ１、水位の低い側に位置する電極１２１ｂの静電容量値をＣ２とする。空気の誘電率は液体の誘電率よりも小さい。水位が下がり電極１２１ａが空気に触れる面積が大きくなると、測定される静電容量値は小さくなる。水位が下がるにつれて、上側の電極１２１ａは空気に触れる面積が大きくなっていきＣ１の静電容量は小さくなっていく。そのため、水位が下がるにつれて、２枚の電極１２１ａと電極１２１ｂの静電容量比Ｃ１／Ｃ２は次第に小さくなっていき、静電容量の値はグラフのように変化する。電極１２１ａと電極１２１ｂとで隔てられ電極１２１ａも電極１２１ｂも存在しない領域では、水位が下がっても電極１２１ａあるいは電極１２１ｂに触れる空気と液体の割合は変化しないので静電容量比も変化しない。水位が下がり、水位の低い側に位置する電極１２１ｂに空気が触れるようになるとＣ２の静電容量が小さくなっていく。水位が下がるにつれてＣ１／Ｃ２の値は次第に大きくなっていく。
【００６８】
電極１２１ａと電極１２１ｂの２枚で測定する方法では、グラフに示すように、同一の静電容量比でＭおよびＮという異なる２種類の水位が存在する。電極１２１ａと電極１２１ｂとで隔てられた領域に抵抗式水位センサの検出電極１１５ｃを設けることで、水位がその検出電極１１５ｃよりも高いか低いかが分かる。この測定結果を参照することで、同一の静電容量比が測定される場合でも正確な水位を特定することができる。
【００６９】
図１５に示すように参照電極１１６が基板１１１の表面１１１ａに亘って延びるように形成された水位センサ１１０を用いた場合も同様である。この時、参照電極１１６は基板１１１の表面１１１ａに亘って延びるように形成されているので、少なくとも一つの検出電極１１５ｅが電極１２１ａと電極１２１ｂとで隔てられた領域に位置するようにすれば良い。水位を測定する点の中で一番水位が高い箇所に抵抗式水位センサ１１０の検出電極１１５ａが位置するようにする。測定するべき水位の中で一番低い箇所に検出電極１１５ｉが位置するようにする。この時、参照電極１１６は検出電極１１５ａの位置から検出電極１１５ｉの位置に亘って形成されれば良い。
【００７０】
抵抗式水位センサでは明確に液体の有無を検出できるが、検出電極１１５や参照電極１１６に残留した液体により誤検出を生じる場合がある。検出電極１１５の位置まで液体が存在するということは検知できるが、正確な水位までは特定できない。一方、静電容量方式は分解能が高く精度良く水位を検出できるが、液温や濃度の影響を受けやすい。液温や濃度の影響を低減するために上下に間隔を介して配置した２枚の電極を用いると精度は向上するが、電極１２１ａと電極１２１ｂで隔てられた箇所では水位を検出することはできない。また静電容量方式単体では同一の静電容量値が検出された時に電極１２１ａと電極１２１ｂで隔てられた位置よりも水位が高いのか低いのか特定することはできない。
【００７１】
本実施形態では２種類の方式で相互に測定値を補完しあうことにより測定精度を向上させることができる。本実施形態では２種類の方式の水位センサを用いているため、どちらか一方の方式の水位センサに故障や不具合が生じた場合でも、残りの一方の方式の水位センサで測定を継続することができる。水位センサとしての精度と耐久性を向上させることができる。
【００７２】
本実施形態を実施した場合、耐久性があり精度を向上させることのできる水位センサを提供することができる。
【００７３】
本発明ではその主旨を逸脱しない範囲であれば、上記の実施形態に限定されるものではなく種々の変形が可能である。
【図面の簡単な説明】
【００７４】
【図１】本発明に係る水位センサを採用した燃料電池の外観斜視図。
【図２】本発明に係る水位センサを採用した燃料電池とノート型コンピュータをドッキングさせた状態を示す外観斜視図。
【図３】燃料電池本体内部に収納された発電部の外観斜視図。
【図４】燃料電池の発電システムの系統図。
【図５】起電部のセル構造を示す模式図。
【図６】混合タンクの分解斜視図。
【図７】本発明の係る水位センサを採用した混合タンクの槽部分を示す外観斜視図。
【図８】本発明に係る水位センサを採用した混合タンクの槽と蓋の部分を示す断面図。
【図９】本発明に係る抵抗式水位センサを示す外観斜視図。
【図１０】図９中のＡ−Ａ´線に沿って示す検出電極の断面模式図。
【図１１】図９に示した抵抗式水位センサと電極配置の異なる他の水位センサの外観斜視図。
【図１２】本発明に係る混合タンクが傾いた状態を示す模式図。
【図１３】本発明の第２の実施形態に係る混合タンクの槽部分を示す外観斜視図。
【図１４】水位の変化と測定される静電容量値との関係を模式的に示すグラフ。
【図１５】水位の変化と測定される静電容量値との関係を模式的に示すグラフ。
【符号の説明】
【００７５】
１…燃料電池、２…発電部、３…制御部、１０…ノート型コンピュータ、１１…本体、１１ａ…通気孔、１１ｂ…カバー、１２…載置部、１３…ロック機構、１４…コネクタ、１５…イジェクトボタン、３１…燃料タンク、３２…燃料供給路、３２ａ…燃料流入口、４１…混合タンク、４１ａ…槽、４１ｂ…蓋、４１ｅ…連通孔、４１ｆ…内部口孔、４１ｇ…外部口孔、４１ｍ…側壁、４１ｎ…底面、４３…混合液供給路、４３ａ…混合液流出口、４４…混合液回収路、４４ａ…混合液流入口、４８…チューブ、４９…キャップ、５１…アノード、５２…カソード、５３…電解質膜、６３…吸気フィルタ、６４…吸気路、７１…排液冷却器、７２…第１の冷却ファン、７３…予混合液冷却器、８１…復水器、８２…第２の冷却ファン、８３…回収槽、８４…水回収路、８６…排気路、８７…排気フィルタ、９０…濃度センサ、１００ａ…電極（第１の電極）、１００ｂ…電極（第２の電極）、１００ｃ…電極（第１の電極）、１００ｄ…電極（第２の電極）、１０１…端子部、１０２…撥水膜、１１０…抵抗式水位センサ、１１１…基板、１１２…ボンディングワイヤ、１１３…コネクタ、１１４…配線パターン、１１５…検出電極（第３の電極）、１１６…参照電極（第４の電極）、１１７…電極部、１１８…金メッキ、１１９…撥水膜、１２１ａ…電極（第１の電極）、１２１ｂ…電極（第２の電極）、１２２ａ…電極（第１の電極）、１２２ｂ…電極（第２の電極）、１２３ａ…電極（第１の電極）、１２３ｂ…電極（第２の電極）、１２４ａ…電極（第１の電極）、１２４ｂ…電極（第２の電極）
【図１】
2007205812.tif 000003
【図２】
2007205812.tif 000004
【図３】
2007205812.tif 000005
【図４】
2007205812.tif 000006
【図５】
2007205812.tif 000007
【図６】
2007205812.tif 000008
【図７】
2007205812.tif 000009
【図８】
2007205812.tif 000010
【図９】
2007205812.tif 000011
【図１０】
2007205812.tif 000012
【図１１】
2007205812.tif 000013
【図１２】
2007205812.tif 000014
【図１３】
2007205812.tif 000015
【図１４】
2007205812.tif 000016
【図１５】
2007205812.tif 000017